(57)【要約】【課題】眼鏡の販売時点では展示販売台として利用でき、購入した者が、眼鏡を収納する眼鏡ケースとして利用することができる、展示販売台兼用の眼鏡ケースを提供する。【解決手段】この展示販売台兼用の眼鏡ケース１０は、ケース本体１２と、前記ケース本体１２の開口部３０の近傍に開閉自在に連設された支持体１４と、前記ケース本体１２の開口部３０からのばされて眼鏡１００を展示するための立設体１６とを備え、前記立設体１６は、前記支持体１４がケース本体１２との間に架け渡されて、ケース本体１２に立設させるように構成され、前記立設体１６は、眼鏡１００を展示販売するために固定されるように形成されている。【選択図】図１
2014171536.tif 000002
【特許請求の範囲】
【請求項１】
眼鏡の全体を囲繞して、眼鏡を収容する収容部を有するケース本体と、
前記ケース本体の開口部の近傍に開閉自在に連設された支持体と、
前記ケース本体の開口部からのばされて眼鏡を展示するための立設体とを備え、
前記立設体は、前記支持体がケース本体との間に架け渡されて、ケース本体に立設させるように構成され、
前記立設体は、眼鏡を展示販売するために固定されるように形成された、展示販売台兼用の眼鏡ケース。
【請求項２】
前記ケース本体は、背面部と側面部と正面部と底面部とにより収容部が形成され、
前記支持体及び／又は立設体は、前記ケース本体の背面部と側面部と正面部とにより形成される開口部に添装されるように形成され、
前記ケース本体に形成される前記収容部の開口部と、前記収容部の開口部に添装される支持体及び／又は立設体の外周縁とは、略同一形状に形成され、
前記支持体又は立設体は、ケース本体の外側であって底面部側とは異なる方向に向けて、揺動部を中心として回動して、開閉される蓋体を構成する、請求項１に記載の展示販売台兼用の眼鏡ケース。
【請求項３】
前記ケース本体は、底面部の周辺より、正面部、側面部及び背面部が立設されて収容部が形成され、
前記立設体は、前記ケース本体の底面部と対向する裏面部と、該裏面部とは反対側の表面部と、表面部及び裏面部の周縁の側部とを備え、
前記ケース本体に形成される前記収容部の開口部と、前記立設体の表面部及び裏面部とは、略同一形状に形成され、
前記立設体の表面部側に眼鏡のフレーム側を位置させ、且つ前記立設体の裏面部側に眼鏡のテンプル側を位置させて、立設体に眼鏡を固定するように形成された、請求項１又は請求項２に記載の展示販売台兼用の眼鏡ケース。
【請求項４】
前記ケース本体は、底面部の周辺より、正面部、側面部及び背面部が立設されて収容部が形成され、
前記立設体は、前記ケース本体の底面部と対向する裏面部と、該裏面部とは反対側の表面部と、表面部及び裏面部の周縁の側部とを備え、
前記ケース本体に形成される前記収容部の開口部と、前記立設体の表面部及び裏面部とは、略同一形状に形成され、
前記立設体の表面部側及び／若しくは裏面部側に眼鏡のテンプルを係止させる係止部又は表面部側から裏面部側に亘って眼鏡のテンプルを挿通するテンプル挿通部を設けられた、請求項１又は請求項２に記載の展示販売台兼用の眼鏡ケース。
【請求項５】
前記支持体は、
その一方端又はその近傍がケース本体に載置された立設体に連架又は係止され、
且つ、
その他方端又はその近傍がケース本体に連結又は係止される、請求項１ないし請求項４のいずれかに記載の展示販売台兼用の眼鏡ケース。
【請求項６】
前記立設体は、その一方端又はその近傍においてケース本体に連結又は係止され、その他方端側において支持体の一方端又はその近傍が揺動自在に連架され又は着脱自在に係止され、
前記支持体は、その他方端又はその近傍がケース本体に連結又は係止される、請求項１ないし請求項５のいずれかに記載の展示販売台兼用の眼鏡ケース。
【請求項７】
前記支持体は、その一方端又はその近傍が揺動自在に連架部を介して立設体に連架され、且つその他方端又はその近傍が揺動自在に揺動部を介してケース本体に連架され又はその他方端又はその近傍がケース本体に係止されるように構成された、請求項１ないし請求項６のいずれかに記載の展示販売台兼用の眼鏡ケース。
【発明の詳細な説明】
【技術分野】
【０００１】
この発明は、展示販売台兼用の眼鏡ケースに関し、特にたとえば、眼鏡の展示販売のための台として用い且つ眼鏡の収納ケースとして利用することができる展示販売台兼用の眼鏡ケースに関する。
【背景技術】
【０００２】
従来の眼鏡ケースは、主として、眼鏡を収納して携帯し、あるいは、眼鏡の置き場や保管する場としての用途しか備えていない(特許文献１及び２参照)。
【先行技術文献】
【特許文献】
【０００３】
【特許文献１】特開２００８−６１３５号公報
【特許文献２】特開２００８−９３００５号公報
【発明の概要】
【発明が解決しようとする課題】
【０００４】
しかしながら、特許文献１に記載された眼鏡ケース及び特許文献２に記載された収容ケースのいずれもが、眼鏡を収納する眼鏡ケースである。
眼鏡を販売する店頭では、販売時点で購入者に眼鏡を良く見せて選別をし易くし且つ購入意欲を増すことができる展示販売台が求められている。一方、眼鏡の販売時点では、購入者に購入した眼鏡を収容する眼鏡ケースが渡される。
【０００５】
それゆえに、この発明の主たる目的は、かかる事情に鑑みてなされたもので、眼鏡の販売時点では展示販売台として利用でき、購入した者が、眼鏡を収納する眼鏡ケースとして利用することができる、展示販売台兼用の眼鏡ケースを提供することを目的とする。
【課題を解決するための手段】
【０００６】
この発明の請求項１にかかる展示販売台兼用の眼鏡ケースは、眼鏡の全体を囲繞して、眼鏡を収容する収容部を有するケース本体と、前記ケース本体の開口部の近傍に開閉自在に連設された支持体と、前記ケース本体の開口部からのばされて眼鏡を展示するための立設体とを備え、前記立設体は、前記支持体がケース本体との間に架け渡されて、ケース本体に立設させるように構成され、前記立設体は、眼鏡を展示販売するために固定されるように形成された、展示販売台兼用の眼鏡ケースである。
この発明の請求項２にかかる展示販売台兼用の眼鏡ケースにおいては、前記ケース本体は、背面部と側面部と正面部と底面部とにより収容部が形成され、前記支持体及び／又は立設体は、前記ケース本体の背面部と側面部と正面部とにより形成される開口部に添装されるように形成され、前記ケース本体に形成される前記収容部の開口部と、前記収容部の開口部に添装される支持体及び／又は立設体の外周縁とは、略同一形状に形成され、前記支持体又は立設体は、ケース本体の外側であって底面部側とは異なる方向に向けて、揺動部を中心として回動して、開閉される蓋体を構成する、請求項１に記載の展示販売台兼用の眼鏡ケースである。
この発明の請求項３にかかる展示販売台兼用の眼鏡ケースにおいては、前記ケース本体は、底面部の周辺より、正面部、側面部及び背面部が立設されて収容部が形成され、前記立設体は、前記ケース本体の底面部と対向する裏面部と、該裏面部とは反対側の表面部と、表面部及び裏面部の周縁の側部とを備え、前記ケース本体に形成される前記収容部の開口部と、前記立設体の表面部及び裏面部とは、略同一形状に形成され、前記立設体の表面部側に眼鏡のフレーム側を位置させ、且つ前記立設体の裏面部側に眼鏡のテンプル側を位置させて、立設体に眼鏡を固定するように形成された、請求項１又は請求項２に記載の展示販売台兼用の眼鏡ケースである。
この発明の請求項４にかかる展示販売台兼用の眼鏡ケースにおいては、前記ケース本体は、底面部の周辺より、正面部、側面部及び背面部が立設されて収容部が形成され、前記立設体は、前記ケース本体の底面部と対向する裏面部と、該裏面部とは反対側の表面部と、表面部及び裏面部の周縁の側部とを備え、前記ケース本体に形成される前記収容部の開口部と、前記立設体の表面部及び裏面部とは、略同一形状に形成され、前記立設体の表面部側及び／若しくは裏面部側に眼鏡のテンプルを係止させる係止部又は表面部側から裏面部側に亘って眼鏡のテンプルを挿通するテンプル挿通部を設けられた、請求項１又は請求項２に記載の展示販売台兼用の眼鏡ケースである。
この発明の請求項５にかかる展示販売台兼用の眼鏡ケースにおいては、前記支持体は、その一方端又はその近傍がケース本体に載置された立設体に連架又は係止され、且つ、その他方端又はその近傍がケース本体に連結又は係止される、請求項１ないし請求項４のいずれかに記載の展示販売台兼用の眼鏡ケースである。
この発明の請求項６にかかる展示販売台兼用の眼鏡ケースにおいては、前記立設体は、その一方端又はその近傍においてケース本体に連結又は係止され、その他方端側において支持体の一方端又はその近傍が揺動自在に連架され又は着脱自在に係止され、前記支持体は、その他方端又はその近傍がケース本体に連結又は係止される、請求項１ないし請求項５のいずれかに記載の展示販売台兼用の眼鏡ケースである。
この発明の請求項７にかかる展示販売台兼用の眼鏡ケースにおいては、前記支持体は、その一方端又はその近傍が揺動自在に連架部を介して立設体に連架され、且つその他方端又はその近傍が揺動自在に揺動部を介してケース本体に連架され又はその他方端又はその近傍がケース本体に係止されるように構成された、請求項１ないし請求項６のいずれかに記載の展示販売台兼用の眼鏡ケースである。
【発明の効果】
【０００７】
この発明にかかる展示販売台兼用の眼鏡ケースは、眼鏡の販売時点では展示販売台として利用でき、購入した者が、眼鏡を収納する眼鏡ケースとして利用することができる。
請求項２の発明によれば、前記ケース本体は、背面部と側面部と正面部と底面部とにより収容部が形成され、前記支持体及び／又は立設体は、前記ケース本体の背面部と側面部と正面部とにより形成される開口部に添装されるように形成され、前記ケース本体に形成される前記収容部の開口部と、前記収容部の開口部に添装される支持体及び／又は立設体の外周縁とは、略同一形状に形成され、前記支持体又は立設体は、ケース本体の外側であって底面部側とは異なる方向に向けて、揺動部を中心として回動して、開閉される蓋体を構成されるので、展示販売台として利用していた眼鏡ケースを、収容部に眼鏡を収容して用いることができる。
請求項３の発明によれば、前記ケース本体は、底面部の周辺より、正面部、側面部及び背面部が立設されて収容部が形成され、前記立設体は、前記ケース本体の底面部と対向する裏面部と、該裏面部とは反対側の表面部と、表面部及び裏面部の周縁の側部とを備え、前記ケース本体に形成される前記収容部の開口部と、前記立設体の表面部及び裏面部とは、略同一形状に形成され、前記立設体の表面部側に眼鏡のフレーム側を位置させ、且つ前記立設体の裏面部側に眼鏡のテンプル側を位置させて、立設体に眼鏡を固定するように形成されているので、眼鏡ケースを展示販売台として利用することができる。
請求項４の発明によれば、前記ケース本体は、底面部の周辺より、正面部、側面部及び背面部が立設されて収容部が形成され、前記立設体は、前記ケース本体の底面部と対向する裏面部と、該裏面部とは反対側の表面部と、表面部及び裏面部の周縁の側部とを備え、前記ケース本体に形成される前記収容部の開口部と、前記立設体の表面部及び裏面部とは、略同一形状に形成され、前記立設体の表面部側及び／若しくは裏面部側に眼鏡のテンプルを係止させる係止部又は表面部側から裏面部側に亘って眼鏡のテンプルを挿通するテンプル挿通部を設けられているので、眼鏡ケースを展示販売台として利用することができる。
請求項５の発明によれば、前記支持体は、その一方端又はその近傍がケース本体に載置された立設体に連架又は係止され、且つ、その他方端又はその近傍がケース本体に連結又は係止されているので、支持体の開閉を自在にすることができる。
請求項６の発明によれば、前記立設体は、その一方端又はその近傍においてケース本体に連結又は係止され、その他方端側において支持体の一方端又はその近傍が揺動自在に連架され又は着脱自在に係止され、前記支持体は、その他方端又はその近傍がケース本体に連結又は係止されているので、立設体を支持体により支持させて立設することができ、展示販売台として利用することができる。
請求項７の発明によれば、前記支持体は、その一方端又はその近傍が揺動自在に連架部を介して立設体に連架され、且つその他方端又はその近傍が揺動自在に揺動部を介してケース本体に連架され又はその他方端又はその近傍がケース本体に係止されるように構成されているので、立設体を支持体により支持させて立設することができ、展示販売台として利用することができる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明にかかる一実施の形態である展示販売台兼用の眼鏡ケースを展示販売台として使用した状態を示す斜視図解図である。
【図２】図１に示す展示販売台兼用の眼鏡ケースを展示販売台として使用した状態における断面図である。
【図３】この発明にかかる一実施の形態である展示販売台兼用の眼鏡ケースを眼鏡ケースとして使用した状態を示す斜視図解図である。
【図４】この発明にかかる一実施の形態である展示販売台兼用の眼鏡ケースを展示販売台として使用した状態を示す斜視図解図である。
【図５】図１に示す展示販売台兼用の眼鏡ケースを展示販売台として使用した状態における断面図である。
【図６】図２に示す展示販売台兼用の眼鏡ケースを眼鏡ケースとして使用するために作動させる状態における断面図である。
【図７】この発明にかかる展示販売台兼用の眼鏡ケースの支持体を閉じた場合における平面図である。
【図８】この発明にかかる展示販売台兼用の眼鏡ケースの支持体を閉じた場合における断面図解図である。
【図９】支持体及び立設体を説明するための斜視図解図である。
【図１０】この発明にかかる一実施の形態である展示販売台兼用の眼鏡ケースを展示販売台として使用した状態を示す斜視図解図である。
【図１１】図１０に示す展示販売台兼用の眼鏡ケースを展示販売台として使用した状態における断面図である。
【図１２】この発明にかかる一実施の形態である展示販売台兼用の眼鏡ケースを眼鏡ケースとして使用した状態を示す斜視図解図である。
【図１３】この発明にかかる一実施の形態である展示販売台兼用の眼鏡ケースを展示販売台として使用した状態を示す斜視図解図である。
【図１４】図１０に示す展示販売台兼用の眼鏡ケースを展示販売台として使用した状態における断面図である。
【図１５】図１１に示す展示販売台兼用の眼鏡ケースを眼鏡ケースとして使用するために作動させる状態における断面図である。
【図１６】この発明にかかる展示販売台兼用の眼鏡ケースの支持体を閉じた場合における平面図である。
【図１７】この発明にかかる展示販売台兼用の眼鏡ケースの支持体を閉じた場合における断面図解図である。
【図１８】支持体及び立設体を説明するための斜視図解図である。
【図１９】図１０図示展示販売台兼用の眼鏡ケースの変形例の斜視図解図である。
【図２０】図１９図示展示販売台兼用の眼鏡ケースの横断面図解図である。
【図２１】この発明にかかる別の実施の形態である展示販売台兼用の眼鏡ケースを展示販売台として使用した状態を示す斜視図解図である。
【図２２】この発明にかかる別の実施の形態である展示販売台兼用の眼鏡ケースを展示販売台として使用した状態における断面図である。
【図２３】この発明にかかる別の実施の形態である展示販売台兼用の眼鏡ケースを展示販売台として使用した状態を示す斜視図解図である。
【図２４】この発明にかかる別の実施の形態である展示販売台兼用の眼鏡ケースを眼鏡ケースとして使用した状態を示す断面図解図である。
【図２５】図２１に示す展示販売台兼用の眼鏡ケースを眼鏡ケースとして使用するために作動させる状態における断面図である。
【図２６】この発明にかかる展示販売台兼用の眼鏡ケースの支持体を閉じた場合における平面図である。
【図２７】この発明にかかる展示販売台兼用の眼鏡ケースの支持体を閉じた場合における断面図解図である。
【発明を実施するための形態】
【００１０】
図１は、この発明にかかる一実施の形態である展示販売台兼用の眼鏡ケースを展示販売台として使用した状態を示す斜視図解図であり、図２は、図１に示す展示販売台兼用の眼鏡ケースを展示販売台として使用した状態における断面図であり、図３は、この発明にかかる一実施の形態である展示販売台兼用の眼鏡ケースを眼鏡ケースとして使用した状態を示す斜視図解図である。
【００１１】
展示販売台兼用の眼鏡ケース１０は、眼鏡１００の全体を囲繞して、眼鏡１００を収容する収容部２０を有するケース本体１２と、前記ケース本体１２の開口部３０の近傍に開閉自在に設けられた支持体１４と、前記ケース本体１２の開口部３０からのばされて眼鏡１００を展示するための立設体１６とを備える。
【００１２】
前記ケース本体１２は、背面部２２と側面部２４と正面部２６と底面部２８とにより収容部２０が形成されている。
前記ケース本体１２は、底面部２８の周辺より、正面部２６、側面部２４及び背面部２２が立設されて収容部２０が形成されている。
ケース本体１２は、正面視長方形の背面部２２と、側面視長方形の側面部２４と、正面視長方形の正面部２６とにより形成されている。
ケース本体１２の開口部３０は、底面部２８とは反対側において、背面部２２，側面部２４及び正面部２６の上端縁によって囲繞された平面視長方形状である。
【００１３】
前記支持体１４は、ケース本体１２の背面部２２と側面部２４と正面部２６とにより形成される開口部３０の近傍に開閉自在に設けられ、該開口部３０に添装されるように形成されている。
前記支持体１４は、開口部３０を被蓋したときに立設体１６と対向する表面部４０と、該表面部４０とは反対側であって、開口部３０を被蓋したときにケース本体１２の底面部２８と対向する裏面部４２と、表面部４０及び裏面部４２の周縁の側部４４とを備えている。
側部４４は、正面部２６側の長手側部４４ａと背面部２２側の長手側部４４ｂと右側側面部２４ａ側の幅側部４４ｃと左側側面部２４ｂ側の幅側部４４ｄとを備える。
前記ケース本体１２に形成される前記収容部２０の開口部３０と、前記収容部２０の開口部３０に添装される支持体１４の外周縁とは、略同一形状に形成されている。
手前側の長手側部４４ａは正面部２６に添装され、向こう側の長手側部４４ｂは底面部２８に添装され、右側の幅側部４４ｃは右側側面部２４ａに添装され、左側の幅側部４４ｄは左側側面部２４ｂに添装されている。
【００１４】
前記支持体１４は、前記支持体１４がケース本体１２との間に架け渡されて、立設体１６をケース本体１２に立設させるように構成されている。
前記立設体１６は、支持体１４によって支持されて、眼鏡１００を展示販売するために固定されるように形成されている。
前記立設体１６は、開口部３０を被蓋する蓋体を構成し、開口部３０を被蓋したときに前記ケース本体１２の底面部２８とは反対側を向く表面部５０と、該表面部５０とは反対側であって、開口部３０を被蓋したときに支持体１４の表面部４０と対向する裏面部５２と、表面部５０及び裏面部５２の周縁の側部５４とを備えている。
側部５４は、正面部２６側の長手側部５４ａと背面部２２側の長手側部５４ｂと右側側面部２４ａ側の幅側部５４ｃと左側側面部２４ｂ側の幅側部５４ｄとを備える。
前記立設体１６は、ケース本体１２の外側であって底面部２８側とは異なる方向に向けて、揺動部５６を中心として回動して、開閉される。
【００１５】
支持体１４は、長手方向を有する平面視長方形状であり、開口部３０を塞ぐ形状を備えている。立設体１６は、長手方向を有する平面視長方形状であり、開口部３０を塞ぐ形状を備えている。
立設体１６の長手方向の長さ（長手側部４４ａ及び長手側部４４ｂの長さ）は、ケース本体１２の開口部３０の長手方向の長さ（長手側部５４ａ及び長手側部５４ｂの長さ）と略々同一の長さである。
支持体１４の長手方向の長さは、立設体１６の長手方向の長さと略々同一の長さであり、開口部３０を塞ぐ形状を備えている。
支持体１４の表面部４０と立設体１６の表面部５０とが対応し、支持体１４の裏面部４２と立設体１６の裏面部５２とが対応し、支持体１４の側部４４と立設体１６の側部５４とが対応している。
【００１６】
立設体１６は、平面視長方形状の一枚板状であり、眼鏡１００を展示するに適する形状を備えている。支持体１４は、平面視長方形状の一枚板状であり、連架部４８において屈曲するように構成されている。
立設体１６と支持体１４とは、略々同一の形状の長方形板状であって、立設体１６の裏面部５２側と支持体１４の表面部４０側とが重ね合わされて、全体としてケース本体１２の開口部３０を被蓋するように形成されている。
【００１７】
立設体１６は、長手方向における一方の端部において、ケース本体１２の一方の側面部２４（左側側面部２４ｂ）の開口部３０の近傍において、ケース本体１２と連結されている。
立設体１６は、揺動部５６を介してケース本体１２に連結されており、揺動部５６を中心として、立設体１６の揺動部５６とは反対側の自由端をケース本体１２の開口部３０から上方に向けて立設体１６を揺動できるように構成されている。
支持体１４は、ケース本体１２に係止される一方の端部（幅側部４４ｃとして構成されている）とは反対側である他方の端部において、立設体１６に連結されている。
支持体１４は、連架部４８を介して立設体１６に連結されており、連架部４８を中心としてケース本体１２の開口部３０から上方に向けて立設体１６及び支持体１４を揺動できるように構成されている。
【００１８】
支持体１４は、幅側部４４ｃの近傍に、鉄片７０が付設されている。
ケース本体１２の右側側面部２４ａの開口部３０側端縁に、磁石７２が付設されている。
立設体１６は、裏面部５２の幅側部５４ｄの近傍に、磁石７４が付設されている。
【００１９】
支持体１４は、ケース本体１２の右側側面部２４ａの開口部３０側端縁に設けられた磁石７２に、幅側部４４ｃを吸引されて係止される。支持体１４は、展示販売台として用いるとき、ケース本体１２の開口部３０と立設体１６の裏面部５２側の面との間に架け渡されて、立設体１６を支持する。
支持体１４及び立設体１６によりケース本体１２の開口部３０を被蓋するとき、支持体１４は、連架部４８において屈曲されないで、全体的に略々真っ直ぐにのばされた一枚板状となり、立設体１６と一体的になる。
支持体１４は、ケース本体１２の開口部３０を被蓋するとき、立設体１６の裏面部５２に重ね合わされ、支持体１４の鉄片７０が立設体１６の磁石７４に吸引されて、固定される。
【００２０】
この実施の形態においては、支持体１４は、連架部４８から一方端側（自由端側）を、立設体１６の裏面部５２に接着されて、支持体１４を立設体１６に連結されている。
支持体１４は、連架部４８から他方端側を、立設体１６と分離している。そして、立設体１６は、揺動部５６によりケース本体１２の左側側面部２４ｂに連結されている。
【００２１】
支持体１４及び立設体１６によりケース本体１２の開口部３０を被蓋するとき、支持体１４の表面部４０を底面部２８側に位置させ且つ立設体１６の裏面部５２を底面部２８側に位置させて、支持体１４と立設体１６とを重ね合わせる。
【００２２】
立設体１６は、幅側部５４ｄの中央において、展示された眼鏡１００の智１０２ａ又は智１０２ｂの下部を接し合わせるための智接合部８４が形成されている。
支持体１４は、連架部４８の近傍に、展示された眼鏡１００のテンプル１０４ａ又はテンプル１０４ｂを挿通するためのテンプル挿通部８６が形成されている。
展示販売台兼用の眼鏡ケース１０を展示販売台として用いるとき、眼鏡１００はテンプル１０４ａ又はテンプル１０４ｂをフレーム１０２側に折り畳み、折り畳まれていないテンプル１０４ａ又はテンプル１０４ｂ側の智１０２ａ又は智１０２ｂを智接合部８４に係止させる。
そして、智接合部８４に係止された智１０２ａ又は智１０２ｂ側のテンプル１０４ａ又は、テンプル１０４ｂをテンプル接合部８２に挿通されて、接し合わせて眼鏡１００が立設体１６より落下しないように固定する。
【００２３】
この発明は、前記実施の形態に限られず、この発明の思想に基づき、種々変更することができる。
【００２４】
図１０ないし図１８は、この発明にかかる一実施の形態である展示販売台兼用の眼鏡ケースを示す図であり、図１０は、この発明にかかる一実施の形態である展示販売台兼用の眼鏡ケースを展示販売台として使用した状態を示す斜視図解図であり、図１１は、図１０に示す展示販売台兼用の眼鏡ケースを展示販売台として使用した状態における断面図であり、図１２は、この発明にかかる一実施の形態である展示販売台兼用の眼鏡ケースを眼鏡ケースとして使用した状態を示す斜視図解図である。
【００２５】
展示販売台兼用の眼鏡ケース１０は、眼鏡１００の全体を囲繞して、眼鏡１００を収容する収容部２０を有するケース本体１２と、前記ケース本体１２の開口部３０の近傍に開閉自在に連設された支持体１４と、前記ケース本体１２の開口部３０からのばされて眼鏡１００を展示するための立設体１６とを備える。
【００２６】
前記ケース本体１２は、背面部２２と側面部２４と正面部２６と底面部２８とにより収容部２０が形成されている。
前記ケース本体１２は、底面部２８の周辺より、正面部２６、側面部２４及び背面部２２が立設されて収容部２０が形成されている。
ケース本体１２は、正面視長方形の背面部２２と、側面視長方形の側面部２４と、正面視長方形の正面部２６とにより形成されている。
ケース本体１２の開口部３０は、底面部２８とは反対側において、背面部２２，側面部２４及び正面部２６の上端縁によって囲繞された平面視長方形状である。
【００２７】
前記蓋体を構成する支持体１４は、ケース本体１２の背面部２２と側面部２４と正面部２６とにより形成される開口部３０の近傍に開閉自在に連設され、該開口部３０に添装されるように形成されている。
前記支持体１４は、開口部３０を被蓋したときに前記ケース本体１２の底面部２８とは反対側を向く表面部４０と、該表面部４０とは反対側であって、開口部３０を被蓋したときに前記ケース本体１２の底面部２８と対向する裏面部４２と、表面部４０及び裏面部４２の周縁の側部４４とを備えている。
側部４４は、正面部２６側の長手側部４４ａと背面部２２側の長手側部４４ｂと右側側面部２４ａ側の幅側部４４ｃと左側側面部２４ｂ側の幅側部４４ｄとを備える。
前記ケース本体１２に形成される前記収容部２０の開口部３０と、前記収容部２０の開口部３０に添装される支持体１４の外周縁とは、略同一形状に形成されている。
手前側の長手側部４４ａは正面部２６に添装され、向こう側の長手側部４４ｂは底面部２８に添装され、右側の幅側部４４ｃは右側側面部２４ａに添装され、左側の幅側部４４ｄは左側側面部２４ｂに添装されている。
【００２８】
前記支持体１４は、前記支持体１４がケース本体１２との間に架け渡されて、立設体１６をケース本体１２に立設させるように構成されている。
前記立設体１６は、支持体１４によって支持されて、眼鏡１００を展示販売するために固定されるように形成されている。
前記立設体１６は、開口部３０を被蓋したときに前記ケース本体１２の底面部２８とは反対側を向く表面部５０と、該表面部５０とは反対側であって、開口部３０を被蓋したときに前記ケース本体１２の底面部２８と対向する裏面部５２と、表面部５０及び裏面部５２の周縁の側部５４とを備えている。
側部５４は、正面部２６側の長手側部５４ａと背面部２２側の長手側部５４ｂと右側側面部２４ａ側の幅側部５４ｃと左側側面部２４ｂ側の幅側部５４ｄとを備える。
前記支持体１４は、ケース本体１２の外側であって底面部２８側とは異なる方向に向けて、揺動部４６を中心として回動して、開閉される。
【００２９】
支持体１４は、長手方向を有する平面視長方形状であり、開口部３０を塞ぐ形状を備えている。立設体１６は、長手方向を有する平面視長方形状であり、開口部３０を塞ぐ形状を備えている。
立設体１６の長手方向の長さ（長手側部４４ａ及び長手側部４４ｂの長さ）は、ケース本体１２の開口部３０の長手方向の長さ（長手側部５４ａ及び長手側部５４ｂの長さ）と略々同一の長さである。
支持体１４の長手方向の長さは、立設体１６の長手方向の長さと略々同一の長さであり、開口部３０を塞ぐ形状を備えている。
支持体１４の表面部４０と立設体１６の表面部５０とが対応し、支持体１４の裏面部４２と立設体１６の裏面部５２とが対応し、支持体１４の側部４４と立設体１６の側部５４とが対応している。
【００３０】
立設体１６は、平面視長方形状の一枚板状であり、眼鏡１００を展示するに適する形状を備えている。支持体１４は、平面視長方形状の一枚板状であり、連架部４８において屈曲するように構成されている。
立設体１６と支持体１４とは、略々同一の形状の長方形板状であって、立設体１６の裏面部５２側と支持体１４の表面部４０側とが重ね合わされて、全体としてケース本体１２の開口部３０を被蓋するように形成されている。
【００３１】
支持体１４は、長手方向における一方の端部において、ケース本体１２の一方の側面部２４（右側側面部２４ａ）の開口部３０の近傍において、ケース本体１２と連結されている。
支持体１４は、揺動部４６を介してケース本体１２に連結されており、揺動部４６を中心として、支持体１４の揺動部４６とは反対側の自由端をケース本体１２の開口部３０から上方に向けて支持体１４を揺動できるように構成されている。
支持体１４は、ケース本体１２に連結された一方の端部（揺動部４６として構成されている）とは反対側である他方の端部において、立設体１６に連結されている。
支持体１４は、連架部４８を介して立設体１６に連結されており、連架部４８を中心としてケース本体１２の開口部３０から上方に向けて立設体１６及び支持体１４を揺動できるように構成されている。
支持体１４及び立設体１６によりケース本体１２の開口部３０を被蓋するとき、支持体１４は、連架部４８において屈曲されないで、全体的に略々真っ直ぐにのばされた一枚板状となり、立設体１６と一体的になる。
【００３２】
この実施の形態においては、支持体１４は、連架部４８から一方端側（自由端側）を、立設体１６の裏面部５２に接着されて、支持体１４を立設体１６に連結されている。
支持体１４は、連架部４８から他方端側を、立設体１６と分離している。そして、支持体１４は、揺動部４６により右側側面部２４ａに連結させている。
【００３３】
支持体１４及び立設体１６によりケース本体１２の開口部３０を被蓋するとき、支持体１４の裏面部４２を底面部２８側に位置させ且つ立設体１６の表面部５０を底面部２８側に位置させて、支持体１４と立設体１６とを重ね合わせる。
【００３４】
立設体１６は、連架部４８を形成された位置よりやや下方において、展示された眼鏡１００のフレーム１０２の下部を接し合わせるためのフレーム接合部８０が形成されている。
支持体１４は、連架部４８の近傍に、展示された眼鏡１００のテンプル１０４ａ及びテンプル１０４ｂを接し合わせるためのテンプル接合部８２が形成されている。
【００３５】
立設体１６は、図１９及び図２０に示すように、フレーム接合部８０の下方に、展示された眼鏡１００のフレーム１０２の下部を載置又は係止するための係止部９０を突設してもよい。
係止部９０は、左右のフレーム１０２の下部を支持するように構成されている。
【００３６】
立設体１６は、眼鏡１００の智１０２ａと智１０２ｂとの間の長さよりも短い幅を備え、眼鏡１００を展示するために係止されたとき、智１０２ａと智１０２ｂとが立設体１６の外側に位置してテンプル１０４ａとテンプル１０４ｂとを背面側に位置させることができるように構成されている。
立設体１６は、左側側面部２４ｂと底面部２８と接続された隅角部に当接され、該隅角部から、右側側面部２４ａ側に向けてのび、斜めに立ち上がる。
【００３７】
支持体１４は、斜め上方に立ち上がった立設体１６を裏面部５２側から支えるように、その下部が連結された右側側面部２４ａから、左側側面部２４ｂ側に向けてのび、斜めに立ち上がる。
【００３８】
眼鏡１００を展示販売台兼用の眼鏡ケース１０に収容するときは、眼鏡１００は、支持体１４の裏面部４２を底面部２８側に位置させ且つ立設体１６の表面部５０を底面部２８側に位置させて、支持体１４と立設体１６とを重ね合わせて、ケース本体１２の開口部３０を被蓋したとき、立設体１６の表面部５０の下方において、収容部２０に収容される。
【００３９】
眼鏡１００を立設体１６に掛けて展示するときは、前記立設体１６の表面部５０側に眼鏡１００のフレーム１０２側を位置させ、且つ前記支持体１４の表面部４０側に眼鏡１００のテンプル１０４ａ及びテンプル１０４ｂ側を位置させて、立設体１６に眼鏡１００を固定するように形成されている。
眼鏡１００は、智１０２ａ及び智１０２ｂにおいて、智１０２ａ及び智１０２ｂを折り畳み、テンプル１０４ａ及びテンプル１０４ｂを支持体１４の連架部４８の近傍の表面部４０に掛けることにより、立設体１６に固定される。
【００４０】
そのとき、眼鏡１００のフレーム１０２は、立設体１６のフレーム接合部８０に接し合わされ、眼鏡１００のテンプル１０４ａ及びテンプル１０４ｂは、立設体１６の連架部４８のやや下方に位置して、テンプル接合部８２に接し合わされる。
而して、眼鏡１００は、立設体１６及び支持体１４に安定的に固定され、展示される。
【００４１】
支持体１４及び立設体１６は、折り畳んで収容部２０の開口部３０を被蓋するとき、図１２，図１６及び図１７に示すように、立設体１６の下端を側面部２４側から離して、支持体１４を屈曲していた連架部４８をのばし、略々平面状にして、立設体１６を支持体１４の下側に位置させる。
そして、支持体１４を、揺動部４６を中心にして回動し、収容部２０の開口部３０上に重ねる。
この実施の形態においては、支持体１４は、収容部２０の開口部３０の内側に嵌合されて、確実に被蓋するように構成されている。支持体１４及び立設体１６を収容部２０の開口部３０から脱嵌するときは、支持体１４の自由端に付設された、引っ張り片９２を引っ張ることにより、支持体１４は、ケース本体１２から外される。
【００４２】
図２１ないし図２７は、この発明にかかる別の実施の形態である展示販売台兼用の眼鏡ケースを示す図であり、図２１は、この発明にかかる別の実施の形態である展示販売台兼用の眼鏡ケースを展示販売台として使用した状態を示す斜視図解図であり、図２２は、この発明にかかる別の実施の形態である展示販売台兼用の眼鏡ケースを眼鏡ケースとして使用した状態を示す断面図解図である。
ケース本体１２は、前記立設体１６の表面部５０側に眼鏡１００のテンプル１０４ａ及びテンプル１０４ｂを係止させる係止部９４を設けられている。
係止部９４は、帯状であって、立設体１６の表面部５０との間に間隔を設けられている。
眼鏡１００は、テンプル１０４ａ又はテンプル１０４ｂを係止部９４の上部に掛けて、立設体１６に固定される。
【００４３】
前記支持体１４は、その一方端又はその近傍がケース本体１２に載置された立設体１６に連架又は係止され、且つ、その他方端又はその近傍がケース本体１２に連結又は係止される。
例えば、支持体１４は、その上端において立設体１６に固定されて連架されるのではなく、支持体１４の上端又はその近傍において立設体１６に引っ掛ける等により係止させてもよい。
【００４４】
前記立設体１６は、その一方端又はその近傍においてケース本体１２に載置又は係止され、その他方端側において支持体１４の一方端又はその近傍が揺動自在に連架され又は着脱自在に係止され、前記支持体１４は、その他方端又はその近傍がケース本体１２に連結又は係止される。
立設体１６は、眼鏡１００を展示するとき、底面部２８に接し合うのではなく、側面部２４の一部に引っ掛ける等により係止させてもよい。
【符号の説明】
【００４５】
１０  展示販売台兼用の眼鏡ケース
１２  ケース本体
１４  支持体
１６  立設体
２０  収容部
２２  背面部
２４  側面部
２４ａ  右側側面部
２４ｂ  左側側面部
２６  正面部
２８  底面部
３０    開口部
４０，５０  表面部
４２，５２  裏面部
４４，５４  側部
４４ａ，５４ａ  （正面部側の）長手側部
４４ｂ，５４ｂ  （背面部側の）長手側部
４４ｃ，５４ｃ  （右側面部側の）幅側部
４４ｄ，５４ｄ  （左側面部側の）幅側部
４６，５６  揺動部
４８  連架部
７０  （支持体の）鉄片
７２  （開口部の）磁石
７４  （立設体の）磁石
８０  フレーム接合部
８２  テンプル接合部
８４  智接合部
８６  テンプル挿通部
９０，９４  係止部
９２  引っ張り片
１００  眼鏡
１０２  フレーム
１０２ａ，１０２ｂ  智
１０４ａ，１０４ｂ  テンプル
【図１】
2014171536.tif 000003
【図２】
2014171536.tif 000004
【図３】
2014171536.tif 000005
【図４】
2014171536.tif 000006
【図５】
2014171536.tif 000007
【図６】
2014171536.tif 000008
【図７】
2014171536.tif 000009
【図８】
2014171536.tif 000010
【図９】
2014171536.tif 000011
【図１０】
2014171536.tif 000012
【図１１】
2014171536.tif 000013
【図１２】
2014171536.tif 000014
【図１３】
2014171536.tif 000015
【図１４】
2014171536.tif 000016
【図１５】
2014171536.tif 000017
【図１６】
2014171536.tif 000018
【図１７】
2014171536.tif 000019
【図１８】
2014171536.tif 000020
【図１９】
2014171536.tif 000021
【図２０】
2014171536.tif 000022
【図２１】
2014171536.tif 000023
【図２２】
2014171536.tif 000024
【図２３】
2014171536.tif 000025
【図２４】
2014171536.tif 000026
【図２５】
2014171536.tif 000027
【図２６】
2014171536.tif 000028
【図２７】
2014171536.tif 000029